(57)【要約】【課題】厚さが薄く、両面に画面が形成される表示装置を提供する。【解決手段】本発明による表示装置は、第１絶縁基板と；前記第１絶縁基板上に第１面積にわたって形成されており白色光を発光する有機発光層と；前記有機発光層の上部に順次に位置する第２絶縁基板及び第３絶縁基板と；前記第２絶縁基板と前記第３絶縁基板の間に前記第１面積より小さい第２面積で形成されており、前記有機発光層から供給される光の透過度を調節する液晶層とを含むことを特徴とする。【選択図】図１
2007140513.tif 000002
【特許請求の範囲】
【請求項１】
第１絶縁基板と；
前記第１絶縁基板上に形成されており、白色光を発光する有機発光層と；
前記有機発光層の上部に順次に位置する第２絶縁基板及び第３絶縁基板と；
前記第２絶縁基板と前記第３絶縁基板の間に形成されており、前記有機発光層から供給される光の透過度を調節する液晶層とを含むことを特徴とする表示装置。
【請求項２】
前記有機発光層の第１面積は、前記液晶層の第２面積よりも大きいことを特徴とする、請求項１に記載の表示装置。
【請求項３】
前記液晶層は、前記有機発光層領域内に位置することを特徴とする、請求項１に記載の表示装置。
【請求項４】
前記第１絶縁基板と前記第２絶縁基板とを接着させるシーラントをさらに含むことを特徴とする、請求項１に記載の表示装置。
【請求項５】
前記第１絶縁基板と対向する前記第２絶縁基板面に位置する吸湿剤をさらに含むことを特徴とする、請求項４に記載の表示装置。
【請求項６】
前記第３絶縁基板と対向する前記第２絶縁基板面に形成されている薄膜トランジスタをさらに含むことを特徴とする、請求項４に記載の表示装置。
【請求項７】
前記有機発光層から発光して前記第１絶縁基板方向に進行する白色光に色を付与する色付与部をさらに含むことを特徴をする、請求項１に記載の表示装置。
【請求項８】
前記色付与部は、前記第１絶縁基板と有機発光層の間に位置するカラーフィルターを含むことを特徴とする、請求項７に記載の表示装置。
【請求項９】
前記色付与部は、前記第１絶縁基板の外側面に付着されているカラーフィルターフィルムを含むことを特徴とする、請求項７に記載の表示装置。
【請求項１０】
前記第１絶縁基板に接続されている駆動回路基板と；
前記第２絶縁基板と前記駆動回路基板を接続する軟性印刷回路基板（ＦＰＣＢ）とをさらに含むことを特徴とする、請求項１に記載の表示装置。
【請求項１１】
前記第１絶縁基板に接続されている第１駆動回路基板と；
前記第２絶縁基板に接続されている第２駆動回路基板とをさらに含むことを特徴とする、請求項１に記載の表示装置。
【請求項１２】
前記有機発光層の下部に形成されている画素電極と、前記有機発光層の上部に形成されている共通電極とをさらに含むことを特徴とする、請求項１に記載の表示装置。
【請求項１３】
前記共通電極は、マグネシウム及びカルシウムのうちの少なくともいずれか一つと銀を含むことを特徴とする、請求項１２に記載の表示装置。
【請求項１４】
前記第１絶縁基板は前記第２絶縁基板より大きく、前記第２絶縁基板は前記第３絶縁基板より大きいことを特徴とする、請求項１に記載の表示装置。
【請求項１５】
前記第１絶縁基板と前記第２絶縁基板の間に位置する第４絶縁基板と；
前記第１絶縁基板と前記第４絶縁基板とを接合させるシーラントとをさらに含むことを特徴とする、請求項１に記載の表示装置。
【請求項１６】
前記第２絶縁基板と前記第４絶縁基板の間に位置する光学フィルムをさらに含むことを特徴とする、請求項１５に記載の表示装置。
【発明の詳細な説明】
【技術分野】
【０００１】
本発明は表示装置とその製造方法に係わり、より詳しくは、有機電界発光装置と液晶表示装置を利用して両面に画面が形成される表示装置に関する。
【背景技術】
【０００２】
最近、既存のブラウン管を代替して、液晶表示装置と有機電界発光装置（ＯＬＥＤ）のような平板表示装置（ｆｌａｔ  ｐａｎｅｌ  ｄｉｓｐｌａｙ）が多く使用されている。
液晶表示装置は、薄膜トランジスタが形成されている第１基板、第１基板に対向配置されている第２基板、そしてこれらの間に液晶層が位置している液晶表示パネルを含む。液晶表示パネルは非発光素子であるため、薄膜トランジスタ基板の後面には光を照射するためのバックライトユニットが位置する。バックライトユニットから照射された光は液晶層の配列状態によって透過量が調節される。
【０００３】
有機電界発光装置は低電圧駆動、軽量薄形、広視野角、そして高速応答などの長所によって脚光を浴びている。有機電界発光装置は駆動方式によって受動型（ｐａｓｓｉｖｅ  ｍａｔｒｉｘ）と能動型（ａｃｔｉｖｅ  ｍａｔｒｉｘ）とに分かれる。このうちの受動型は、製造過程は簡単であるが、ディスプレイ面積と解像度が増加するほど消費電力が急激に増加する問題がある。したがって、受動型は主に小型ディスプレイに応用されている。反面、能動型は、製造過程は複雑であるが、大画面と高解像度を実現できるという長所がある。
【０００４】
一方、最近、フォルダー型携帯電話機の内窓と外窓のように両面にディスプレイする表示装置に対する関心が増加している。従来は対向する一対の液晶表示パネルの間にバックライトユニットを位置させて両面にディスプレイする表示装置を実現した。
この構造では両面の二つの液晶表示パネルに対して、一つのバックライトユニットのみを使用するだけで良いという長所があるが、バックライトユニットによって厚さが増加する問題がある。
【発明の開示】
【発明が解決しようとする課題】
【０００５】
従って、本発明の目的は、厚さが薄く、両面に画面が形成される表示装置を提供することにある。
【課題を解決するための手段】
【０００６】
前記本発明１は、第１絶縁基板と；前記第１絶縁基板上に第１面積にわたって形成されており、白色光を発光する有機発光層と；前記有機発光層の上部に順次に位置する第２絶縁基板及び第３絶縁基板と；前記第２絶縁基板と前記第３絶縁基板の間に前記第１面積より小さい第２面積で形成されており、前記有機発光層から供給される光の透過度を調節する液晶層とを含むことを特徴とする表示装置を提供する。
【０００７】
このように、本発明では、有機発光層を有する有機電界発光装置と、液晶層を有する液晶表示装置とを用いて両面表示装置を形成する。この両面表示装置においては、有機発光層が液晶表示装置のバックライトユニット役割を果たす。したがって、別途のバックライトユニットが必要でないため表示装置の厚さを減少させることができる。特に、有機電界発光装置と液晶表示装置が第２絶縁基板を共有することによって表示装置の厚さはさらに減少する。
【０００８】
発明２は、発明１において、前記有機発光層の第１面積は、前記液晶層の第２面積よりも大きいことを特徴とする。これにより、液晶層全体に、有機層から光を供給することができる。
発明３は、発明１において、前記液晶層は、前記有機発光層領域内に位置するのが好ましい。これにより、液晶層全体に、有機層から光を供給することができる。
【０００９】
発明４は、発明１において、前記第１絶縁基板と前記第２絶縁基板とを接着させるシーラントをさらに含むのが好ましい。
発明５は、発明４において、前記第１絶縁基板と対向する前記第２絶縁基板面に位置する吸湿剤をさらに含むのが好ましい。水分に対して弱い有機層が設けられているため、吸湿剤により水分を除去するのが良い。
【００１０】
発明６は、発明４において、前記第３絶縁基板と対向する前記第２絶縁基板面に形成されている薄膜トランジスタをさらに含むのが好ましい。
発明７は、発明１において、有機発光層から発光して前記第１絶縁基板方向に進行する白色光に色を付与する色付与部をさらに含むのが好ましい。
発明８は、発明７において、前記色付与部は、前記第１絶縁基板と有機発光層の間に位置するカラーフィルターを含むのが好ましい。
【００１１】
発明９は、発明７において、前記色付与部は、前記第１絶縁基板の外側面に付着されているカラーフィルターフィルムを含むのが好ましい。
発明１０は、発明１において、前記第１絶縁基板に接続されている駆動回路基板と；前記第２絶縁基板と前記駆動回路基板を接続する軟性印刷回路基板（ＦＰＣＢ）とをさらに含むのが好ましい。
【００１２】
発明１１は、発明１において、前記第１絶縁基板に接続されている第１駆動回路基板と；前記第２絶縁基板に接続されている第２駆動回路基板とをさらに含むのが好ましい。
発明１２は、発明１において、前記有機発光層の下部に形成されている画素電極と、前記有機発光層の上部に形成されている共通電極とをさらに含むのが好ましい。
発明１３は、発明１２において、前記共通電極は、マグネシウム及びカルシウムのうちの少なくともいずれか一つと銀を含むのが好ましい。これにより、第１共通電極を、導電性を有する透明電極として形成することができる。よって、液晶層と有機層との間に第１共通電極が存在しても、有機層から液晶層に光を供給することができる。
前記画素電極はＩＴＯまたはＩＺＯからなるのが好ましい。
【００１３】
発明１４は、発明１において、前記第１絶縁基板は前記第２絶縁基板より大きく、前記第２絶縁基板は前記第３絶縁基板より大きいのが好ましい。
発明１５は、発明１において、前記第１絶縁基板と前記第２絶縁基板の間に位置する第４絶縁基板と；前記第１絶縁基板と前記第４絶縁基板とを接合させるシーラントとをさらに含むのが好ましい。
【００１４】
発明１６は、発明１５において、前記第２絶縁基板と前記第４絶縁基板の間に位置する光学フィルムをさらに含むのが好ましい。
【発明の効果】
【００１５】
本発明によれば、厚さが薄く、両面に画面が形成される表示装置が提供される。
【発明を実施するための最良の形態】
【００１６】
以下、添付図面を参照して本発明をさらに詳しく説明する。
いろいろな実施形態において同一構成要素に対しては同一参照番号を付与し、同一構成要素に対しては第１実施形態で代表的に説明し、他の実施形態では省略されることができる。
説明において、‘上に’は二つの層（膜）の間に他の層（膜）が介されたり介されないことを意味し、‘真上に’は二つの層（膜）が互いに接触していることを示す。
【００１７】
＜発明の概要＞
本発明の表示装置は、第１絶縁基板と、第１絶縁基板上に形成されており、白色光を発光する有機発光層と、有機発光層の上部に順次に位置する第２絶縁基板及び第３絶縁基板と、第２絶縁基板と第３絶縁基板の間に形成されており、有機発光層から供給される光の透過度を調節する液晶層とを含む。
【００１８】
このように、本発明では、有機発光層を有する有機電界発光装置と、液晶層を有する液晶表示装置とを用いて両面表示装置を形成する。この両面表示装置においては、有機発光層が液晶表示装置のバックライトユニット役割を果たす。したがって、別途のバックライトユニットが必要でないため表示装置の厚さを減少させることができる。特に、有機電界発光装置と液晶表示装置が第２絶縁基板を共有することによって表示装置の厚さはさらに減少する。
【００１９】
＜第１実施形態＞
第１実施形態による表示装置を図１及び図２を参照して詳しく説明すると次の通りである。図１は本発明の第１実施形態による表示装置の断面図であり、図２は本発明の第１実施形態による表示装置の拡大断面図である。
第１実施形態による表示装置１は有機電界発光装置２と液晶表示装置３を含む。有機電界発光装置２と液晶表示装置３は第２絶縁基板２１０を共有しており、液晶表示装置３は有機電界発光装置２から光の供給を受ける。
【００２０】
有機電界発光装置２は、第１シーラント５１０によって互いに接合している第１絶縁基板１１０及び第２絶縁基板２１０、第１絶縁基板１１０の上部に形成されている第１薄膜トランジスタ１２１と有機発光層１５２を含む。
有機電界発光装置２を詳しく説明すると次の通りである。
ガラス、石英、セラミックまたはプラスチックなどの絶縁性材質を含んで作られた第１絶縁基板１１０上に第１薄膜トランジスタ１２１が形成されている。図示した第１薄膜トランジスタ１２１は半導体層として非晶質シリコンを使用した場合であり、ポリシリコンまたは有機半導体を使用した薄膜トランジスタも用いることができるのはもちろんである。有機電界発光装置２で、一つの画素にはスイッチング薄膜トランジスタと駆動薄膜トランジスタを含んで２つ以上の薄膜トランジスタが使用される。図２で示した第１薄膜トランジスタ１２１はそのうちの駆動薄膜トランジスタのみを示したものである。
【００２１】
第１薄膜トランジスタ１２１上には第１保護膜１３１が形成されている。第１保護膜１３１はシリコン窒化物（ＳｉＮｘ）からなることができる。
第１保護膜１３１の上部には第１カラーフィルター１３２が位置している。第１カラーフィルター１３２は隣接した第１薄膜トランジスタ１２１の間に島状のように位置している。第１カラーフィルター１３２は一定のパターンに配置されており、互いに異なる色を有するサブ層１３２ａ、１３２ｂ、１３２ｃを含む。
【００２２】
第１保護膜１３１と第１カラーフィルター１３２の上には第１有機膜１３３が形成されている。第１有機膜１３３はＢＣＢ（ｂｅｎｚｏｃｙｃｌｏｂｕｔｅｎｅ）系、オレフィン系、アクリル樹脂（ａｃｒｙｌｉｃ  ｒｅｓｉｎ）系、ポリイミド（ｐｏｌｙｉｍｉｄｅ）系、フッ素樹脂のうちのいずれか一つであることができる。第１保護膜１３１と第１有機膜１３３は第１薄膜トランジスタ１２１の上部で一部除去されて接触孔１３４を形成する。
【００２３】
第１有機膜１３３の上部には第１画素電極１４１が形成されている。第１画素電極１４１は負極（ａｎｏｄｅ）と呼ばれ、有機層１５０に正孔を供給する。第１画素電極１４１はＩＴＯ（ｉｎｄｉｕｍ  ｔｉｎ  ｏｘｉｄｅ）またはＩＺＯ（ｉｎｄｉｕｍ  ｚｉｎｃ  ｏｘｉｄｅ）などの透明な伝導物質からなっており、接触孔１３４を通じて第１薄膜トランジスタ１２１と接続されている。
【００２４】
第１画素電極１４１と第１有機膜１３４の上には第１画素電極１４１を囲んでいる隔壁１４２が形成されている。隔壁１４２は画素電極１４１間を区分して画素領域を定義する。隔壁１４２はアクリル樹脂、ポリイミド樹脂などの耐熱性、耐溶媒性を有する感光物質やＳｉＯ２、ＴｉＯ２のような無機材料からなることができ、有機層と無機層の２層構造も可能である。
【００２５】
隔壁１４２が覆っていない第１画素電極１４１上には有機層１５０が形成されている。有機層１５０は高分子物質の正孔注入層（ｈｏｌｅ  ｉｎｊｅｃｔｉｎｇ  ｌａｙｅｒ）１５１と有機発光層（ｏｒｇａｎｉｃ  ｌｉｇｈｔ  ｅｍｉｔｔｉｎｇ  ｌａｙｅｒ）１５２からなる。
正孔注入層１５１はポリ（３，４−エチレンジオキシチオフェン）（ＰＥＤＯＴ）とポリスチレンスルホン酸（ＰＳＳ）のような正孔注入物質からなっており、これら正孔注入物質を水に混合させて水相サスペンション状態でインクジェット法によって形成されることができる。
【００２６】
有機発光層１５２は白色光を発光し、またインクジェット法で形成されることができる。白色光を発光するため、有機発光層１５２は各画素に同一物質で形成される。
第１画素電極１４１から伝達された正孔と第１共通電極１６０から伝達された電子は有機発光層１５２で結合して励起子（ｅｘｃｉｔｏｎ）になった後、励起子の非活性化過程で光を発生させる。
【００２７】
隔壁１４２及び有機発光層１５２の上部には第１共通電極１６０が位置する。第１共通電極１６０は正極（ｃａｔｈｏｄｅ）と呼ばれ、有機発光層１５２に電子を供給する。
本発明で有機電界発光装置２は第１絶縁基板１１０方向に画面を表示しながら、同時に液晶表示装置３に光を供給しなければならない。したがって、有機発光層１５２の光は第１絶縁基板１１０と第２絶縁基板２１０とも供給されなければならず、このために第１共通電極１６０は透明でなければならない。
【００２８】
第１共通電極１６０はマグネシウムと銀の合金またはカルシウムと銀の合金からなることができ、厚さは５０ｎｍ〜２００ｎｍであることができる。第１共通電極１６０の厚さが５０ｎｍ以下であれば抵抗が過度に大きくなって共通電圧印加が円滑でなく、第１共通電極１６０の厚さが２００ｎｍ以上であれば第１共通電極１６０が不透明になる恐れがある。第１共通電極１６０の光透過度は５０％以上であるのが好ましい。
【００２９】
第１絶縁基板１１０と第１シーラント５１０を通じて接続されている第２絶縁基板２１０はガラス、石英、セラミックまたはプラスチックなどの絶縁性材質を含んで作られる。第２絶縁基板２１０は第１絶縁基板１１０に比べて多少小さく設けられる。これは、第１絶縁基板１１０の端部に接続される駆動回路基板１７１の装着作業を容易にするためである。
【００３０】
有機層１５０は水分に弱いため第１シーラント５１０の透湿度は６０ｇ／ｍ２日（ｄａｙ）以下であるのが好ましい。第１シーラント５１０は紫外線硬化樹脂で形成されることができ、図示していないが、内部に第１絶縁基板１１０と第２絶縁基板２１０間の間隔を維持するためのスペーサを含むことができる。
第１絶縁基板１１０に向かう第２絶縁基板２１０面には吸湿剤２１１が設けられている。吸湿剤２１１はＣａ、ＣａＯ、Ｂａ、ＢａＯ、Ｍｇ、ＭｇＯ、ＡｌＯなどを使用することができ、スパッタリングまたは電子ビーム蒸着法で形成されることができる。吸湿剤２１１は実施形態とは異なり第１絶縁基板１１０上にも形成されることができる。
【００３１】
第１絶縁基板１１０の一端部には駆動回路基板１７１が付着されている。駆動回路基板１７１は外部からの信号を受けて、第１薄膜トランジスタ１２１等を制御して画面を表示する。駆動回路基板１７１は異方性導電フィルム（ａｎｉｓｏｔｒｏｐｉｃ  ｃｏｎｄｕｃｔｉｖｅ  ｆｉｌｍ）１７２を通じて第１絶縁基板１１０と接続されている。
液晶表示装置３は、第２シーラント５２０によって互いに接合されている第２絶縁基板２１０及び第３絶縁基板３１０、第２絶縁基板２１０の上部に形成されている第２薄膜トランジスタ２２１、第３絶縁基板３１０に形成された第２カラーフィルター３２１、そして両方の絶縁基板２１０、３１０の間に位置する液晶層４１０を含む。ここで、液晶層４１０の面積は有機層１５０が形成された面積より小さく、特に液晶層４１０は有機層１５０または有機発光層１５２の領域内に位置する。つまり、液晶層４１０の全領域は有機層１５０の領域と重なる。よって、液晶層４１０全体に、有機層１５０から光を供給することができる。
【００３２】
液晶表示装置３を詳しく説明すると次の通りである。
ガラス、石英、セラミックまたはプラスチックなどの絶縁性材質を含んで作られた第２絶縁基板２１０上に第２薄膜トランジスタ２２１が形成されている。図示した第２薄膜トランジスタ２２１は半導体層として非晶質シリコンを使用した場合であり、ポリシリコンまたは有機半導体を使用した薄膜トランジスタも用いることができる。
【００３３】
第２薄膜トランジスタ２２１上には第２保護膜２３１が形成されている。第２保護膜２３１はシリコン窒化物（ＳｉＮｘ）からなることができる。
第２保護膜２３１上には第２有機膜２４１が形成されている。第２有機膜２４１はＢＣＢ（ｂｅｎｚｏｃｙｃｌｏｂｕｔｅｎｅ）系、オレフィン系、アクリル樹脂（ａｃｒｙｌｉｃ  ｒｅｓｉｎ）系、ポリイミド（ｐｏｌｙｉｍｉｄｅ）系、フッ素樹脂のうちのいずれか一つであることができる。第２保護膜２３１と第２有機膜２４１は第２薄膜トランジスタ２２１上部で一部除去されて接触孔２３２を形成する。
【００３４】
第２有機膜２４１の上部には第２画素電極２５１が形成されている。第２画素電極２５１はＩＴＯ（ｉｎｄｉｕｍ  ｔｉｎ  ｏｘｉｄｅ）またはＩＺＯ（ｉｎｄｉｕｍ  ｚｉｎｃ  ｏｘｉｄｅ）などの透明な伝導物質からなっており、接触孔２３２を通じて第２薄膜トランジスタ２２１と接続されている。
第２絶縁基板２１０と第２シーラント５２０を通じて接続されている第３絶縁基板３１０はガラス、石英、セラミックまたはプラスチックなどの絶縁性材質を含んで作られる。第３絶縁基板３１０は第２絶縁基板２１０に比べて多少小さく設けられる。これは第２絶縁基板２１０の端部に接続される軟性印刷回路基板２６１の装着作業を容易にするためである。また、第３絶縁基板３１０の大きさは液晶層４１０の形成領域より過度に大きい必要がないためである。
【００３５】
第３絶縁基板３１０上にはブラックマトリックス３１１が形成されている。ブラックマトリックス３１１は格子状に形成されており、外部光が第２薄膜トランジスタ２２１のチャンネル領域に供給することを防止する。ブラックマトリックス３１１はクロム酸化物や、黒色顔料を含む有機物からなることができる。
ブラックマトリックス３１１の間には第２カラーフィルター３２１が形成されている。第２カラーフィルター３２１は規則的に形成されており互いに異なる色を有する３つのサブ層３２１ａ、３２１ｂ、３２１ｃからなる。
【００３６】
第２カラーフィルター３２１上にはオーバーコート層３３１が形成されている。オーバーコート層３３１は表面を平坦化させる役割を果たす。
オーバーコート層３３１上には第２共通電極３４１が形成されている。第２共通電極３４１はＩＴＯ（ｉｎｄｉｕｍ  ｔｉｎ  ｏｘｉｄｅ）またはＩＺＯ（ｉｎｄｉｕｍ  ｚｉｎｃ  ｏｘｉｄｅ）などの透明な伝導物質からなっており、第２画素電極２５１と共に液晶層４１０に電圧を印加して液晶層４１０の配列状態を調節する。
【００３７】
第２絶縁基板２１０の一端部には軟性印刷回路基板２６１が付着されている。軟性印刷回路基板２６１は折り曲げられて駆動回路基板１７１と接続されている。軟性印刷回路基板２６１と第２絶縁基板２１０の間、軟性印刷回路基板２６１と駆動回路基板１７１の間にはそれぞれ異方性導電フィルム２６２、５３０が位置する。
図示していないが、液晶表示装置３で、第２絶縁基板２１０と第３絶縁基板３１０のそれぞれの外部面には偏光板（ｐｏｌａｒｉｚａｔｉｏｎ  ｐｌａｔｅ）が付着されている。
【００３８】
以上の第１実施形態による表示装置１の作動について説明すると次の通りである。
まず、有機電界発光装置２が作動する時、駆動回路基板１７１は有機電界発光装置２に駆動信号を印加し、液晶表示装置３には駆動信号を印加しない。駆動信号によって有機発光層１５２で発生した白色光は第１絶縁基板１１０方向に進行し、第１カラーフィルター１３２を通過しながら色が付与されて画面を形成する。第２絶縁基板２１０方向にも白色光が進行するが、液晶表示装置３に駆動信号が印加されないため画面は形成されない。液晶表示装置３がノーマリブラックモード（ｎｏｒｍａｌｌｙ  ｂｌａｃｋ  ｍｏｄｅ）の場合、白色光は液晶表示装置３の外部に射出しない。
【００３９】
その次に、液晶表示装置３が作動する時、駆動回路基板１７１は液晶表示装置３に画面を形成するための駆動信号を印加し、有機電界発光装置２には全ての有機発光層１５２が均一な光を出すように駆動信号を印加する。有機発光層１５２で発生した均一な光は第１共通電極１６０と第２絶縁基板２１０を通過して液晶層４１０に入射される。液晶層４１０に入射された光は液晶層４１０によって透過率が調節された後、第２カラーフィルター３２１を通過しながら色が付与されて画面を構成する。有機発光層１５２で発生して第１絶縁基板１１０方向に進行した光は第１カラーフィルター１３２を通過しながら色が付与され、この時、有機電界発光装置２は画面を実現せず、白色画面を表示する。
【００４０】
液晶表示装置３が作動する時、有機電界発光装置２が他の方式を作動することも可能である。例えば、有機電界発光装置２は液晶層４１０と重なる部分を中心に白色光を供給することができる。他の例としては、液晶表示装置３が形成する画面で暗い部分に対応する有機発光層１５２では低い輝度の光を供給し、明るい部分に対応する有機発光層１５２では高い輝度の光を供給することも可能である。
【００４１】
第１実施形態によれば、有機電界発光装置２と液晶表示装置３とを用いて両面表示装置を形成する。この両面表示装置においては、有機電界発光装置２が液晶表示装置３のバックライトユニット役割を果たす。したがって、別途のバックライトユニットが必要でないため表示装置１の厚さを減少させることができる。特に、有機電界発光装置２と液晶表示装置３が第２絶縁基板２１０を共有することによって表示装置１の厚さはさらに減少する。
【００４２】
＜第２実施形態＞
図３乃至図５は本発明の第２実施形態乃至第４実施形態による表示装置の断面図である。
図３に示した表示装置１は第１絶縁基板１１０と第２絶縁基板２１０のそれぞれに駆動回路基板１７１、２７１が接続されている。各駆動回路基板１７１、２７１と第１絶縁基板１１０及び第２絶縁基板２１０の間にはそれぞれ異方性導電フィルム１７２、２７２が位置する。
【００４３】
図４に示した表示装置１は有機電界発光装置２と液晶表示装置３が絶縁基板を共有しない。有機電界発光装置２は第１絶縁基板１１０と第４絶縁基板６１０を含み、液晶表示装置３は第２絶縁基板２１０と第３絶縁基板３１０を含む。第２絶縁基板２１０の端部には駆動回路基板２７１と異方性導電フィルム２７２が設けられている。第１絶縁基板１１０に向かう第４絶縁基板６１０面には吸湿剤６１１が設けられている。
【００４４】
第２絶縁基板２１０と第４絶縁基板６１０の間には光学フィルム６３０が位置する。光学フィルム６３０は拡散フィルム、プリズムフィルム、そして反射偏光フィルムのうちのいずれか一つを選択することができる。光学フィルム６３０によって有機電界発光装置２から供給される光の均一性と直進性が向上し、液晶表示装置３の表示品質が向上する。
図５に示した表示装置１は第１絶縁基板１１０の外部にカラーフィルターフィルム６４０が付着されている。カラーフィルターフィルム６４０はフィルム上に形成された格子状のブラックマトリックスとブラックマトリックスの間に規則的に形成された互いに異なる色を有するサブ層とからなることができる。カラーフィルターフィルム６４０を使用することによって有機電界発光装置２の製造が単純になる。
【００４５】
図６は本発明による表示装置を含む電子機器を示す斜視図である。
図示した電子機器７００はフォルダー型携帯電話機であって、キーパッド７１１が設けられている本体部７１０と、本体部７１０に回動可能に接続されており画面を表示するディスプレイ部７２０とからなる。
ディスプレイ部７２０は、開放した時に画面を表示し比較的大きさが大きい内窓７２１と、閉鎖した時に画面を表示し比較的大きさが小さい外窓７２２とを含む。
【００４６】
本発明による表示装置１はディスプレイ部７２０に装着することができ、内窓７２１には有機電界発光装置２が、外窓には液晶表示装置３が用いられ得る。本発明による表示装置１は別途のバックライトユニットを使用しないため表示装置１の厚さが薄く、従ってディスプレイ部７２０の厚さも減少させることができる。
たとえ本発明のいくつかの実施形態が図示されて説明されたが、本発明の属する技術分野における通常の知識を有する当業者であれば、本発明の原則や精神から外れずに本実施形態を変形できることが分かる。本発明の範囲は添付された請求項とその均等物によって決められる。
【図面の簡単な説明】
【００４７】
【図１】本発明の第１実施形態による表示装置の断面図である。
【図２】本発明の第１実施形態による表示装置の拡大断面図である。
【図３】本発明の第２実施形態による表示装置の断面図である。
【図４】本発明の第３実施形態による表示装置の断面図である。
【図５】本発明の第４実施形態による表示装置の断面図である。
【図６ａ】本発明による表示装置を含む電子機器を示す斜視図である。
【図６ｂ】本発明による表示装置を含む電子機器を示す斜視図である。
【符号の説明】
【００４８】
２      有機電界発光装置
３      液晶表示装置
１１０      第１絶縁基板
１２１、２２１      薄膜トランジスタ
１３２      第１カラーフィルター
１４１      第１画素電極
１５２      有機発光層
１６０      第１共通電極
２１０      第２絶縁基板
３１０      第３絶縁基板
４１０      液晶層
５１０      第１シーラント
５２０      第２シーラント
【図１】
2007140513.tif 000003
【図２】
2007140513.tif 000004
【図３】
2007140513.tif 000005
【図４】
2007140513.tif 000006
【図５】
2007140513.tif 000007
【図６ａ】
2007140513.tif 000008
【図６ｂ】
2007140513.tif 000009